(57)【特許請求の範囲】
【請求項１】
屋内空間に、複数方向から利用可能な収納部を備えた収納コアが設けられると共に、該収納コアを取り囲むようにして、各種用途の複数のサービススペースが設けられており、
前記各サービススペースは、厨房、廊下、洗面所であり、
前記収納部の少なくとも一つは、開閉戸を備えた納戸で構成されており、この納戸は収納コアの各面に設けられた収納部に囲まれるようにして設けられていることを特徴とする家屋。
【請求項２】
屋内空間に、複数方向から利用可能な収納部を備えた収納コアが設けられると共に、該収納コアを取り囲むようにして、各種用途の複数のサービススペースが前記収納コア回りで連通して設けられており、
前記各サービススペースは、厨房、廊下、洗面所であり、
前記収納コアは平面視矩形状であり、その４面の各面に、収納部が設けられており、
前記収納部の少なくとも一つは、開閉戸を備えた納戸で構成されており、この納戸は収納コアの各面に設けられた収納部に囲まれるようにして設けられていることを特徴とする家屋。
【発明の詳細な説明】
【０００１】
【産業上の利用分野】
本発明は、収納コアの周りに各種用途のサービススペースを集合させて、部屋空間の利用効率を向上させた家屋に関する。
【０００２】
【従来の技術】
従来、厨房や洗面所、廊下などのそれぞれ独自の用途や機能を持つ各種サービススペースにおける各種物品の収納は、各サービススペース毎に設けられる収納部を備えた個別の収納コアを利用して行われていた。
【０００３】
【発明が解決しようとする課題】
しかしながら、各サービススペース毎に独立した個別の収納コアを設けるには、各サービススペースの近傍位置に、それぞれの収納コアを設置するスペースを必要とするため、屋内空間の利用効率が悪くなり、各サービススペースが狭くなってしまうという問題点があった。
【０００４】
また、各サービススペース毎に、独立した多数の収納コアが分散して配置されるため、物を収納したり、或いは収納した物を探したりする場合などに、互いに離れた収納コアの間を行き来しなければならないので、作業効率が悪く、労力がかかるという問題点もあった。
【０００５】
この発明は、上記問題点等を解決するためになされたもので、限られた空間を有効に利用して、各種用途のサービススペースを広くとれるようにし、また、各種物品を収納したり、収納物を探したりする際に、作業効率を向上させて、労力を軽減することのできる家屋を提供することを目的とする。
【０００６】
【課題を解決するための手段】
上記目的を達成するために、請求項１記載の発明は、屋内空間に、複数方向から利用可能な収納部を備えた収納コアが設けられると共に、該収納コアを取り囲むようにして、各種用途の複数のサービススペースが設けられており、
前記各サービススペースは、厨房、廊下、洗面所であり、
前記収納部の少なくとも一つは、開閉戸を備えた納戸で構成されており、この納戸は収納コアの各面に設けられた収納部に囲まれるようにして設けられていることを特徴とする。
【０００７】
また、請求項２に記載の発明は、屋内空間に、複数方向から利用可能な収納部を備えた収納コアが設けられると共に、該収納コアを取り囲むようにして、各種用途の複数のサービススペースが前記収納コア回りで連通して設けられており、
前記各サービススペースは、厨房、廊下、洗面所であり、
前記収納コアは平面視矩形状であり、その４面の各面に、収納部が設けられており、
前記収納部の少なくとも一つは、開閉戸を備えた納戸で構成されており、この納戸は収納コアの各面に設けられた収納部に囲まれるようにして設けられていることを特徴とする。
【０００９】
【作用】
本発明の作用は次の通りである。
請求項１記載の家屋によれば、屋内空間に、複数方向から利用可能な収納部を備えた収納コアが設けられ、その収納コアを取り囲むようにして、各種用途の複数のサービススペースが設けられる構成となっているので、従来のように各サービススペース毎に別個の収納コアを設ける必要がなくなる。
【００１０】
したがって、各サービススペース毎に収納コアを設置するスペースを確保する必要がなくなり、室内空間の利用効率を高めて、各サービススペースを広くとることが可能となる。
また、収納コアの周りに各種用途のサービススペースが集中して配置されているため、収納コアの各収納部に物を収納したり、収納物を探したりする場合にも、従来のように各サービススペース毎に離れて設置される多数の収納コアの間を行き来することなく作業することができるので、作業効率を向上させることができ、労力を軽減させることができる。
【００１１】
また、収納コアの周りのサービススペースにおいて、前記サービススペースの少なくとも一つが、水廻り系統のサービススペースで構成される場合には、例えば、風呂場やトイレ等の水廻り系統で共通に使用する洗剤やタオルなどを、収納コアの収納部の内、その水周り系統の近傍に位置する収納部に収納して、利用の便を図ることができる。
【００１２】
また、前記サービススペースに厨房が含まれる構成とした場合には、その厨房に面する収納コアの収納部を、例えば、厨房で使用する食器等を収納する食器棚として利用することができる。
【００１３】
また、前記サービススペースに廊下が含まれる構成とした場合には、その廊下に面する収納コアの収納部を、例えば、生活用雑貨等を収納する汎用性の高い収納スペースとして利用することができる。
【００１４】
また、前記サービススペースに洗面所が含まれる構成とした場合には、その洗面所に面する収納コアの収納部を、例えば、歯ブラシや石鹸，タオル等の洗面に必要な用具を収納するスペースとして利用することができる。
また、請求項３に記載したように、前記収納部の少なくとも一つが、開閉戸を備える納戸で構成される場合には、他の収納部に納まりきらない物品を収納する物置等として利用できる。
【００１５】
【実施例】
以下、図１を参照して本発明に係る家屋の実施例について説明する。ここに、図１は、この発明に係る家屋を示す間取り図である。
【００１６】
図１において、符号１は家屋の屋内空間を示しており、この屋内空間１の略中央には、複数方向から使用可能な各種収納部を備えた収納コア２が設けられている。
この収納コア２の周りには、廊下３と、水廻り系統のサービススペースＷを構成するトイレＷ１，風呂場Ｗ２，洗面所Ｗ３，厨房４，玄関５，勝手口６，食堂７につながる通路８等が配置されている。
また、食堂７に隣接して居間１５が設けられ、居間１５の隣りには和室１６が設けられており、この和室１６と収納コア２との間に前記廊下３が形成されている。
【００１７】
収納コア２には、４面の各面２ａ，２ｂ，２ｃ，２ｄに、収納部が設けられている。
例えば、収納コア２の２ａ面の洗面所Ｗ３に面する位置には、水廻り系統のサービススペースＷ（トイレＷ１，風呂場Ｗ２，洗面所Ｗ３）で使用する洗剤や石鹸，タオル，バケツ，雑巾等を収納する開閉戸式の収納部９が所定の奥行をもって設けられている。
【００１８】
また、２ａ面の勝手口６に面する部分には、開閉戸１０ａを備えた納戸１０が、２ｂ面，２ｃ面，２ｄ面の各面に設けられる後述の収納部１１，１２，１３，１４に囲まれるようにして設けられている。この納戸１０は、例えば、多目的に用いられ、他の収納部に納まりきらない比較的大きな用品等を収納する物置等として利用される。
【００１９】
２ｂ面のトイレＷ１及び玄関５に面する位置には、例えば、予備のトイレットペーパーや、下駄箱に入りきらない靴等を収納する開閉戸式の収納部１１が所定の奥行で設けられている。
また、収納コア２の廊下３に面する２ｃ面にも、開閉戸式の収納部１２が設けられ、種々の生活用品を納めるようになっている。
【００２０】
２ｄ面の内、厨房４に面する位置には、例えば、厨房４で使用する調味料や、種々の料理用器具等を収納する開閉戸式の収納部１３が設けられ、また、食堂７に通ずる通路８に面する位置には、例えば、食堂７で使用する皿やスプーン，フォーク等の種々の食器を収納する開閉戸式の食器棚としての収納部１４が設けられている。
【００２１】
本実施例に係る収納コアの周りのサービススペースは、上述のように、複数方向から利用可能な収納部９，１０，１１，１２，１３，１４を備えた収納コア２の周りを取り囲むように種々の用途のサービススペース（トイレＷ１，風呂場Ｗ２，洗面所Ｗ３，厨房４，廊下３等）を配置する構成となっているので、従来のように、各サービススペース毎に個別の収納コアを設置する必要がなくなり、限られた屋内空間を効率良く利用することができる。したがって、各サービススペースを広くとることが可能となる。
【００２２】
また、収納コア２の周りに各種用途のサービススペースが集中して配置されている結果、収納コア２の各収納部に各種物品を収納したり、収納した物を探したりする場合にも、従来のように各サービススペース毎に離れて設置される多数の収納コアの間を行き来する必要がなくなるので、作業効率を向上させることができ、労力を軽減させることができる。
【００２３】
また、収納コア２の近傍に、トイレＷ１，風呂場Ｗ２，洗面所Ｗ３等の水廻り系統のサービススペースＷをまとめて配置しているので、水廻り系統で共通に使用する洗剤やタオルなどを、その水周り系統の近傍に位置する収納部に収納することにより、収納コア２の利用効率を向上させることができる。
また、厨房４に面する収納コア２の収納部１３は、例えば、厨房４で使用する食器等を収納する食器棚等として利用することができ、廊下３に面する収納部１２は、例えば、生活用雑貨等を収納する汎用性の高い収納スペースとして利用することができる。
【００２４】
また、収納コア２の収納部のひとつが、開閉戸を備える納戸１０で構成されているので、他の収納部に納まりきらない物品を収納する物置として利用できる。なお、本実施例では、収納コア２の４面すべてに収納部を設ける場合について説明したが、これに限らず、任意の面のみに収納部を設ける場合であってもよい。
なお、収納コア２は、部屋のレイアウトに合わせて設計し、工場で組み立てた後に設置してもよいし、或いは、家屋を建てる際に個別に設計，作成する場合であってもよい。
【００２５】
また、収納コア２が設けられる位置や、収納部の形態は、各サービススペースのレイアウトや用途に合わせて任意に変更可能であることは勿論である。
また、本実施例では、収納コア２に、収納部の一つとして開閉戸を備えた納戸１０を設ける場合について述べたが、この納戸１０は必ずしも設けなくてもかまわない。
【００２６】
また、収納コア２の周りのサービススペースの数やその配列様式は、本実施例に限定されることなく、屋内空間の用途や好みに応じて任意に設計変更できることはいうまでもない。
【００２７】
【発明の効果】
請求項１記載の発明によれば、屋内空間に、複数方向から利用可能な収納部を備えた収納コアが設けられ、その収納コアを取り囲むようにして、各種用途の複数のサービススペースが設けられる構成となっているので、従来のように各サービススペース毎に別個の収納コアを設ける必要がなくなる。
したがって、各サービススペース毎に収納コアを設置するスペースを確保する必要がなくなり、室内空間の利用効率を高めて、各サービススペースを広くとることができるという優れた効果がある。
【００２８】
また、収納コアの周りに各種用途のサービススペースが集中して配置されているため、収納コアの各収納部に物を収納したり、収納物を探したりする場合にも、従来のように各サービススペース毎に離れて設置される多数の収納コアの間を行き来することなく、略一ヶ所にまとまった収納コアを作業対象とすれば足りるので、作業効率を向上させることができ、労力を軽減させることができるという効果もある。
【００２９】
また、収納コアの周りのサービススペースにおいて、前記サービススペースの少なくとも一つが、水廻り系統のサービススペースで構成される場合には、例えば、風呂場やトイレ等の水廻り系統で共通に使用する洗剤やタオルなどを、収納コアの収納部の内、その水周り系統の近傍に位置する収納部に収納して、利用の便を図ることができるという効果もある。
【００３０】
また、前記サービススペースに厨房が含まれる構成とした場合には、その厨房に面する収納コアの収納部を、例えば、厨房で使用する食器等を収納する食器棚として利用することができる。また、前記サービススペースに廊下が含まれる構成とした場合には、その廊下に面する収納コアの収納部を、例えば、生活用雑貨等を収納する汎用性の高い収納スペースとして利用することができる。
【００３１】
また、前記サービススペースに洗面所が含まれる構成とした場合には、その洗面所に面する収納コアの収納部を、例えば、歯ブラシや石鹸，タオル等の洗面に必要な用具を収納するスペースとして利用することができる。
【００３２】
また、前記収納部の少なくとも一つが、開閉戸を備える納戸で構成される場合には、他の収納部に納まりきらない物品を収納する物置として利用できる。
【図面の簡単な説明】
【図１】本発明に係る収納コアの周りのサービススペースの構成を示す間取り図である。
【符号の説明】
１    屋内空間
２    収納コア
３    廊下
４    厨房
Ｗ    水廻り系統のサービススペース
Ｗ１  トイレ
Ｗ２  風呂場
Ｗ３  洗面所
９，１０，１１，１２，１３，１４  収納部
【図１】
0003589491.tif 000002